【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
少なくとも１つのチャネル上での送信のためのフレームを生成するように構成された処理システム、前記フレームは、
デバイスの第１および第２のタイプによって処理するための第１の情報と、前記フレームのターゲットにされた受信者であるデバイスの前記第２のタイプのみによって処理するために意図された拡張ヘッダ情報と、
データ部分、ここにおいて、前記少なくとも１つのチャネルは、前記装置に割り当てられたチャネルのセットを備え、前記データ部分は、前記チャネルのセットにわたる帯域幅上で送信される、と
を有する、と、
前記少なくとも１つのチャネルを介して送信のために前記フレームを出力するためのインターフェースと
を備え、前記フレームは、第１および第２の空間ストリームの各々のための、前記フレームの前記ターゲットにされた受信者によって処理するためのチャネル推定情報またはトレーニングフィールドのうちの少なくとも１つを備える第２の情報をさらに備え、
前記第１の空間ストリームのための前記第２の情報は、前記第２の空間ストリームのための前記第２の情報で前記第１の空間ストリームのための前記第２の情報を時間アラインするために、前記第１の空間ストリームのための前記第１の情報の終わりの送信と比較して遅延して送信のために出力される、装置。
【請求項２】
前記フレームを送信するように構成された送信機をさらに備え、前記装置は、アクセスポイントとして構成される、
請求項１に記載の装置。
【請求項３】
ワイヤレス通信のための装置であって、
少なくとも１つのチャネル上での送信のためのフレームを生成するように構成された処理システム、前記フレームは、
デバイスの第１および第２のタイプによって処理するためのヘッダ情報、チャネル推定値、またはトレーニングフィールドのうちの少なくとも１つを備える第１の情報と、前記フレームのターゲットにされた受信者であるデバイスの前記第２のタイプのみによって処理するために意図された拡張ヘッダ情報とを備える、と、
データ部分と
を有する、と、
前記少なくとも１つのチャネルを介して送信のために前記フレームを出力するためのインターフェースと
を備え、前記少なくとも１つのチャネルは、前記装置に割り当てられたチャネルのセットを備え、
前記チャネルのセットは、少なくとも第１および第２の連続するチャネルを備え、
前記第１の情報は、前記第１および第２の連続するチャネルの各々において繰り返され、
前記フレームは、前記フレームの前記ターゲットにされた受信者によって処理するためのトレーニングフィールドまたはチャネル推定情報のうちの少なくとも１つを備える第２の情報を備え、前記第２の情報は、前記少なくとも第１および第２の連続するチャネルにわたる帯域幅上での送信のために出力され、
前記第１および第２の連続するチャネルは、少なくとも第１および第２の空間ストリームを送信するためのものであり、
前記第１の情報は、前記第１および第２の連続するチャネルの各々において繰り返された前記第１の空間ストリームのための第１の情報と、前記第１および第２の連続するチャネルの各々において繰り返された前記第２の空間ストリームのための第１の情報とを備え、
前記第２の空間ストリームのための前記第１の情報は、前記第１の空間ストリームのための前記第１の情報の送信と比較して遅延して送信のために出力される、
装置。
【請求項４】
前記第１の空間ストリームのための前記第２の情報は、前記第２の空間ストリームのための前記第２の情報を有する前記第１の空間ストリームのための前記第２の情報を時間アラインするために、前記第１の空間ストリームのための前記第１の情報の終わりの送信と比較して遅延して送信のために出力される、
請求項３に記載の装置。
【請求項５】
前記フレームを送信するように構成された送信機をさらに備え、前記装置は、アクセスポイントとして構成される、
請求項３に記載の装置。
【請求項６】
ワイヤレス通信のための装置であって、
少なくとも１つのチャネル上で送信されたフレームを取得するためのインターフェース、前記フレームは、
デバイスの第１および第２のタイプのデバイスによって処理するための第１の情報と、前記フレームのターゲットにされた受信者であるデバイスの前記第２のタイプのみによって処理することを拡張ヘッダ情報と、
データ部分、前記少なくとも１つのチャネルは、前記装置に割り当てられたチャネルのセットを備え、前記データ部分は、前記チャネルのセットにわたる帯域幅上で受信される、と
を有する、と、
前記第１の情報を処理することと、前記拡張ヘッダ情報に基づいて前記フレームの前記データ部分のうちの少なくともいくつかを復号することとを行うように構成された処理システムと
を備え、前記少なくとも１つのチャネルは、少なくとも第１および第２の空間ストリームを送信するための少なくとも単一チャネルを備え、
前記第１の情報は、同じ単一チャネル上で送信された前記第１の空間ストリームのための第１の情報と、前記第２の空間ストリームのための第１の情報とを備え、
前記装置による前記第２の空間ストリームのための前記第１の情報の受信者は、前記第１の空間ストリームのための前記第１の情報の送信と比較して遅延される、装置。
【請求項７】
前記フレームを受信するように構成された受信機をさらに備え、前記装置は、ワイヤレス局として構成される、
請求項６に記載の装置。
【請求項８】
ワイヤレス通信のための装置であって、
少なくとも１つのチャネル上で送信されたフレームを取得するためのインターフェース、前記フレームは、
デバイスの第１および第２のタイプのデバイスによって処理するための第１の情報と、前記フレームのターゲットにされた受信者であるデバイスの前記第２のタイプのみによって処理することを拡張ヘッダ情報と、
データ部分と
を有する、と、
前記第１の情報を処理することと、前記拡張ヘッダ情報に基づいて前記フレームの前記データ部分のうちの少なくともいくつかを復号することとを行うように構成された処理システムと
を備え、前記少なくとも１つのチャネルは、前記装置に割り当てられたチャネルのセットを備え、
前記チャネルのセットは、少なくとも第１および第２の連続するチャネルを備え、
前記第１の情報は、前記第１および第２の連続するチャネルの各々において繰り返され、
前記フレームは、前記フレームの前記ターゲットにされた受信者によって処理するためのチャネル推定情報またはトレーニングフィールドのうちの少なくとも１つを備える第２の情報をさらに備え、前記第２の情報は、前記少なくとも第１および第２の連続するチャネルにわたる帯域幅上で受信され、
前記第１および第２の連続するチャネルは、少なくとも第１および第２の空間ストリームを取得するためのものであり、
前記第１の情報は、前記第１および第２の連続するチャネルの各々において繰り返される前記第１の空間ストリームのための第１の情報と、前記第１および第２の連続するチャネルの各々において繰り返される前記第２の空間ストリームのための第１の情報とを備え、
前記装置による前記第２の空間ストリームのための前記第１の情報の受信は、前記第１の空間ストリームのための前記第１の情報の送信と比較して遅延される、
装置。
【請求項９】
前記フレームを受信するように構成された受信機をさらに備え、前記装置は、ワイヤレス局として構成される、
請求項８に記載の装置。
【手続補正２】
【補正対象書類名】明細書
【補正対象項目名】００９３
【補正方法】変更
【補正の内容】
【００９３】
[0111]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
以下に、本願出願の当初の特許請求の範囲に記載された発明を付記する。
［Ｃ１］
ワイヤレス通信のための装置であって、
少なくとも１つのチャネル上での送信のためのフレームを生成するように構成された処理システム、前記フレームは、
他の装置によって検出可能な少なくとも１つのトレーニングフィールドを備える第１の情報、前記第１の情報は、１つまたは複数のサブチャネルのセット上で送信され、各サブチャネルは、前記少なくとも１つのチャネルのフル帯域幅の断片的な部分を備える、と、
チャネル推定値またはヘッダ情報のうちの少なくとも１つを備える第２の情報、前記第２の情報は、前記少なくとも１つのチャネルの前記フル帯域幅を使用して送信される、と
を備える、プリアンブル部分と、
前記少なくとも１つのチャネルの前記フル帯域幅を使用して送信されるデータ部分と
を有する、と、
送信のための前記フレームを出力するためのインターフェースと
を備える、装置。
［Ｃ２］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で送信される前記第１の空間ストリームのための少なくとも第１のトレーニングフィールドと、前記第１のチャネルの１つまたは複数のサブチャネルの第２のセット上で送信される前記第２の空間ストリームのための少なくとも第２のトレーニングフィールドとを備え、前記サブチャネルの第１および第２のセットは、重複しない、
［Ｃ１］に記載の装置。
［Ｃ３］
前記第２の情報は、
前記第１のチャネルの前記フル帯域幅を使用して送信される前記第１の空間ストリームのための少なくとも第１のチャネル推定情報と、
前記第１のチャネルの前記フル帯域幅を使用して送信される前記第２の空間ストリームのための少なくとも第２のチャネル推定情報と
を備える、［Ｃ２］に記載の装置。
［Ｃ４］
前記少なくとも１つのチャネルは、前記装置に割り当てられたチャネルのセットを備え、
前記チャネルのセットは、少なくとも２つの連続するチャネルを備える、
［Ｃ１］に記載の装置。
［Ｃ５］
前記少なくとも１つのチャネルは、前記装置に割り当てられたチャネルのセットを備え、
前記チャネルのセットは、前記装置に割り当てられた少なくとも第１および第２のチャネルを備え、
前記少なくとも１つのトレーニングフィールドは、前記第１のチャネルの１つまたは複数のサブチャネルのセット上で送信される少なくとも第１のトレーニングフィールドと、前記第２のチャネルの１つまたは複数のサブチャネルのセット上で送信される少なくとも第２のトレーニングフィールドとを備え、
第２の情報は、前記第１および第２のチャネルの結合された帯域幅を使用して送信されるチャネル推定情報を備える、
［Ｃ１］に記載の装置。
［Ｃ６］
前記少なくとも１つのチャネルは、前記装置に割り当てられたチャネルのセットを備え、
前記チャネルのセットは、第１および第２の空間ストリームを送信するための少なくとも第１および第２のチャネルを備え、
前記少なくとも１つのトレーニングフィールドは、前記第１および第２のチャネルの各々の１つまたは複数のサブチャネルの第１のセット上で送信される前記第１の空間ストリームのための少なくとも第１のトレーニングフィールドと、前記第１および第２のチャネルの各々の１つまたは複数のサブチャネルの第２のセット上で送信される前記第２の空間ストリームのための少なくとも第２のトレーニングフィールドとを備え、
前記第２の情報は、前記第１および第２のチャネルの結合された帯域幅を使用して送信されるチャネル推定情報を備える、
［Ｃ１］に記載の装置。
［Ｃ７］
前記１つまたは複数のサブチャネルの第１および第２セットは、重複しないこと、または
前記第１のおよび第２の空間ストリームのために使用されたサブチャネルは、重複しないこと
のうちの少なくとも１つである、［Ｃ６］に記載の装置。
［Ｃ８］
前記第２の情報は、
前記第１および第２のチャネルの結合された帯域幅を使用して送信される前記第１の空間ストリームのための少なくとも第１のチャネル推定情報と、
前記第１および第２のチャネルの結合された帯域幅を使用して送信される前記第２の空間ストリームのための少なくとも第２のチャネル推定情報と
を備える、［Ｃ６］に記載の装置。
［Ｃ９］
ワイヤレス通信ための装置であって、
他の装置によって検出可能な少なくとも１つのトレーニングフィールドを備える第１の情報、前記第１の情報は、１つまたは複数のサブチャネルのセット上で受信され、各サブチャネルは、前記少なくとも１つのチャネルのフル帯域幅の断片部分を備える、と、
チャネル推定値またはヘッダ情報のうちの少なくとも１つを備える第２の情報、前記第２の情報は、前記少なくとも１つのチャネルの前記フル帯域幅を使用して受信される、と
を備えるプリアンブル部分と、
前記少なくとも１つのチャネルの前記フル帯域幅を使用して送信されるデータ部分と
を有する、フレームを、少なくとも１つのチャネルを介して取得するためのインターフェースと、
前記第２の情報に、少なくとも部分的に、基づいてチャネル推定値を生成することと、前記チャネル推定値に基づいて前記フレームの前記データ部分のうちの少なくともいくつかを復号することとを行うように構成された処理システムと
を備える、装置。
［Ｃ１０］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で受信される前記第１の空間ストリームのための少なくとも第１のトレーニングフィールドと、前記第１のチャネルの１つまたは複数のサブチャネルの第２のセット上で受信される前記第２の空間ストリームのための少なくとも第２のトレーニングフィールドとを備え、前記サブチャネルの第１および第２のセットは、重複しない、
［Ｃ９］に記載の装置。
［Ｃ１１］
前記第２の情報は、
前記第１のチャネルの前記フル帯域幅を使用して受信される前記第１の空間ストリームのための少なくとも第１のチャネル推定情報と、
前記第１のチャネルの前記フル帯域幅を使用して受信される前記第２の空間ストリームのための少なくとも第２のチャネル推定情報と
を備える、［Ｃ１０］に記載の装置。
［Ｃ１２］
前記少なくとも１つのチャネルは、前記装置に割り当てられたチャネルのセットを備え、
前記チャネルのセットは、前記装置に割り当てられた少なくとも第１および第２のチャネルを備え、
前記少なくとも１つのトレーニングフィールドは、前記第１のチャネルの１つまたは複数のサブチャネルのセット上で受信される少なくとも第１のトレーニングフィールドと、前記第２のチャネルの１つまたは複数のサブチャネルのセット上で受信される少なくとも第２のトレーニングフィールドとを備え、
前記第２の情報は、前記第１および第２のチャネルの結合された帯域幅を使用して受信されるチャネル推定情報を備える、
［Ｃ９］に記載の装置。
［Ｃ１３］
前記チャネルのセットは、第１および第２の空間ストリームを送信するための少なくとも第１および第２のチャネルを備え、
前記少なくとも１つのトレーニングフィールドは、前記第１および第２のチャネルの各々の１つまたは複数のサブチャネルの第１のセット上で受信される前記第１の空間ストリームのための少なくとも第１のトレーニングフィールドと、
前記第１および第２のチャネルの各々の１つまたは複数のサブチャネルの第２のセット上で受信される前記第２の空間ストリームのための少なくとも第２のトレーニングフィールドと
を備え、
前記第２の情報は、前記第１および第２のチャネルの結合された帯域幅を使用して受信されるチャネル推定情報を備える、
［Ｃ１２］に記載の装置。
［Ｃ１４］
前記第２の情報は、
前記第１および第２のチャネルの結合された帯域幅を使用して受信される前記第１の空間ストリームのための少なくとも第１のチャネル推定情報と、
前記第１および第２のチャネルの結合された帯域幅を使用して受信される前記第２の空間ストリームのための少なくとも第２のチャネル推定情報と
を備える、［Ｃ１２］に記載の装置。
［Ｃ１５］
ワイヤレス通信のための装置であって、
少なくとも１つのチャネル上での送信のためのフレームを生成するように構成された処理システム、前記フレームは、
デバイスの第１および第２のタイプによって処理するためのヘッダ情報、チャネル推定値、またはトレーニングフィールドのうちの少なくとも１つを備える第１の情報と、前記フレームのターゲットにされた受信者であるデバイスの第２のタイプのみによって処理するために意図された拡張ヘッダ情報とを備える、と、
データ部分と
を有する、と、
前記少なくとも１つのチャネルを介して送信のために前記フレームを出力するためのインターフェースと
を備える、装置。
［Ｃ１６］
前記フレームは、第１および第２の空間ストリームの各々のための、前記フレームの前記ターゲットにされた受信者によって処理するためのチャネル推定情報またはトレーニングフィールドのうちの少なくとも１つを備える第２の情報をさらに備え、
前記第１の空間ストリームのための前記第２の情報は、前記第２の空間ストリームのための前記第２の情報で前記第１の空間ストリームのための前記第２の情報を時間アラインするために、前記第１の空間ストリームのための前記第１の情報の終わりの送信と比較して遅延して送信のために出力される、
［Ｃ１５］に記載の装置。
［Ｃ１７］
前記少なくとも１つのチャネルは、前記装置に割り当てられたチャネルのセットを備え、
前記データ部分は、前記チャネルのセットにわたる帯域幅上で送信される、
［Ｃ１５］に記載の装置。
［Ｃ１８］
前記少なくとも１つのチャネルは、装置に割り当てられたチャネルのセットを備え、
前記チャネルのセットは、少なくとも第１および第２の連続するチャネルを備え、
前記第１の情報は、第１および第２のチャネルの各々において繰り返され、
前記フレームは、前記フレームの前記ターゲットにされた受信者によって処理するためのトレーニングフィールドまたはチャネル推定情報のうちの少なくとも１つを備える第２の情報を備え、前記第２の情報は、前記少なくとも第１および第２のチャネルにわたる帯域幅上での送信のために出力される、
［Ｃ１５］に記載の装置。
［Ｃ１９］
前記第１および第２のチャネルは、少なくとも第１および第２の空間ストリームを送信するためのものであり、
前記第１の情報は、前記第１および第２のチャネルの各々において繰り返された前記第１の空間ストリームのための第１の情報と、前記第１および第２のチャネルの各々において繰り返された前記第２の空間ストリームのための第１の情報とを備え、前記第２の空間ストリームのための前記第１の情報は、前記第１の空間ストリームのための前記第１の情報の送信と比較して遅延して送信のために出力される、
［Ｃ１８］に記載の装置。
［Ｃ２０］
前記第１の空間ストリームのための前記第２の情報は、前記第２の空間ストリームのための前記第２の情報を有する前記第１の空間ストリームのための前記第２の情報を時間アラインするために、前記第１の空間ストリームのための前記第１の情報の終わりの送信と比較して遅延して送信のために出力される、
［Ｃ１９］に記載の装置。
［Ｃ２１］
ワイヤレス通信のための装置であって、
少なくとも１つのチャネル上で送信されたフレームを取得するためのインターフェース、前記フレームは、
デバイスの第１および第２タイプのデバイスによって処理するための第１の情報と、前記フレームのターゲットにされた受信者であるデバイスの第２のタイプのみによって処理することを拡張ヘッダ情報と、
データ部分と
を有する、と、
前記第１の情報を処理することと、前記拡張ヘッダ情報に基づいて前記フレームの前記データ部分のいくつかを復号することとを行うように構成された処理システムと
を備える、装置。
［Ｃ２２］
前記少なくとも１つのチャネルは、少なくとも第１および第２の空間ストリームを送信するための少なくとも単一チャネルを備え、
前記第１の情報は、同じ単一チャネル上で送信された前記第１の空間ストリームのための第１の情報と、前記第２の空間ストリームのための第１の情報とを備え、前記装置によって前記第２の空間ストリームのための前記第１の情報の受信者は、前記第１の空間ストリームのための前記第１の情報の送信と比較して遅延される、
［Ｃ２１］に記載の装置。
［Ｃ２３］
前記少なくとも１つのチャネルは、前記装置に割り当てられたチャネルのセットを備え、
前記データ部分は、前記チャネルのセットにわたる帯域幅上で受信される、
［Ｃ２１］に記載の装置。
［Ｃ２４］
前記少なくとも１つのチャネルは、前記装置に割り当てられたチャネルのセットを備え、
前記チャネルのセットは、少なくとも第１および第２の連続するチャネルを備え、
前記第１の情報は、前記第１および第２のチャネルの各々において繰り返され、
前記フレームは、前記フレームの前記ターゲットにされた受信者によって処理するためのチャネル推定情報またはトレーニングフィールドのうちの少なくとも１つを備える第２の情報をさらに備え、前記第２の情報は、前記少なくとも第１および第２のチャネルにわたる帯域幅上で受信される、
［Ｃ２１］に記載の装置。
［Ｃ２５］
前記第１および第２のチャネルは、少なくとも第１および第２の空間ストリームを取得するためのものであり、
前記第１の情報は、前記第１および第２のチャネルの各々において繰り返される前記第１の空間ストリームのための第１の情報と、前記第１および第２のチャネルの各々において繰り返される前記第２の空間ストリームのための第１の情報とを備え、前記装置による前記第２の空間ストリームのための前記第１の情報の受信は、前記第１の空間ストリームのための前記第１の情報の送信と比較して遅延される、
［Ｃ２４］に記載の装置。
［Ｃ２６］
装置によるワイヤレス通信のための方法であって、
少なくとも１つのチャネル上での送信のためのフレームを生成すること、前記フレームは、
他の装置によって検出可能な少なくとも１つのトレーニングフィールドを備える第１の情報、前記第１の情報は、１つまたは複数のサブチャネルのセット上で送信され、各サブチャネルは、前記少なくとも１つのチャネルのフル帯域幅の断片部分を備える、と、
チャネル推定値またはヘッダ情報のうちの少なくとも１つを備える第２の情報、前記第２の情報は、前記少なくとも１つのチャネルの前記フル帯域幅を使用して送信される、と
を備えるプリアンブル部分と、
前記少なくとも１つのチャネルの前記フル帯域幅を使用して送信されるデータ部分と
を有する、と、
送信のための前記フレームを出力することと
を備える、方法。
［Ｃ２７］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で送信される前記第１の空間ストリームのための少なくとも第１のトレーニングフィールドと、前記第１のチャネルの１つまたは複数のサブチャネルの第２のセット上で送信される前記第２の空間ストリームのための少なくとも第２のトレーニングフィールドとを備え、前記サブチャネルの第１および第２のセットは、重複しない、
［Ｃ２６］に記載の方法。
［Ｃ２８］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で送信される前記第１の空間ストリームのための少なくとも第１のトレーニングフィールドと、前記第１のチャネルの１つまたは複数のサブチャネルの第２のセット上で送信される前記第２の空間ストリームのための少なくとも第２のトレーニングフィールドとを備え、前記サブチャネルの第１および第２のセットは、重複しない、
を備える、［Ｃ２７］に記載の方法。
［Ｃ２９］
前記少なくとも１つのチャネルは、前記装置に割り当てられたチャネルのセットを備え、
前記チャネルのセットは、少なくとも２つの連続するチャネルを備える、
［Ｃ２６］に記載の方法。
［Ｃ３０］
前記少なくとも１つのチャネルは、前記装置に割り当てられたチャネルのセットを備え、
前記チャネルのセットは、前記装置に割り当てられた少なくとも第１および第２のチャネルを備え、
前記少なくとも１つのトレーニングフィールドは、前記第１のチャネルの１つまたは複数のサブチャネルのセット上で送信される少なくとも第１のトレーニングフィールドと、前記第２のチャネルの１つまたは複数のサブチャネルのセット上で送信される少なくとも第２のトレーニングフィールドとを備え、
第２の情報は、前記第１および第２のチャネルの結合された帯域幅を使用して送信されるチャネル推定情報を備える、
［Ｃ２６］に記載の方法。
［Ｃ３１］
前記少なくとも１つのチャネルは、前記装置に割り当てられたチャネルのセットを備え、
前記チャネルのセットは、第１および第２の空間ストリームを送信するための少なくとも第１および第２のチャネルを備え、
前記少なくとも１つのトレーニングフィールドは、前記第１および第２のチャネルの各々の１つまたは複数のサブチャネルの第１のセット上で送信される前記第１の空間ストリームのための少なくとも第１のトレーニングフィールドと、前記第１および第２のチャネルの各々の１つまたは複数のサブチャネルの第２のセット上で送信される前記第２の空間ストリームのための少なくとも第２のトレーニングフィールドとを備え、
前記第２の情報は、前記第１および第２のチャネルの結合された帯域幅を使用して送信されるチャネル推定情報を備える、
［Ｃ２６］に記載の方法。
［Ｃ３２］
前記１つまたは複数のサブチャネルの第１および第２セットは、重複しないこと、または
前記第１のおよび第２の空間ストリームのために使用されたサブチャネルは、重複しないこと
のうちの少なくとも１つである、［Ｃ３１］に記載の方法。
［Ｃ３３］
前記第２の情報は、
前記第１および第２のチャネルの結合された帯域幅を使用して送信される前記第１の空間ストリームのための少なくとも第１のチャネル推定情報と、
前記第１および第２のチャネルの結合された帯域幅を使用して送信される前記第２の空間ストリームのための少なくとも第２のチャネル推定情報と
を備える、［Ｃ３１］に記載の方法。
［Ｃ３４］
装置による、ワイヤレス通信ための方法であって、
他の装置によって検出可能な少なくとも１つのトレーニングフィールドを備える第１の情報、前記第１の情報は、１つまたは複数のサブチャネルのセット上で受信され、各サブチャネルは、前記少なくとも１つのチャネルのフル帯域幅の断片部分を備える、と、
チャネル推定値またはヘッダ情報のうちの少なくとも１つを備える第２の情報、前記第２の情報は、前記少なくとも１つのチャネルの前記フル帯域幅を使用して受信される、と
を備えるプリアンブル部分と、
前記少なくとも１つのチャネルの前記フル帯域幅を使用して送信されるデータ部分と
を有する、フレームを、少なくとも１つのチャネルを介して取得する
前記第２の情報に、少なくとも部分的に、基づいてチャネル推定値を生成することと、前記チャネル推定値に基づいて前記フレームの前記データ部分のうちの少なくともいくつかを復号することと
を備える、方法。
［Ｃ３５］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で受信される前記第１の空間ストリームのための少なくとも第１のトレーニングフィールドと、前記第１のチャネルの１つまたは複数のサブチャネルの第２のセット上で受信される前記第２の空間ストリームのための少なくとも第２のトレーニングフィールドとを備え、前記サブチャネルの第１および第２のセットは、重複しない、
［Ｃ３４］に記載の方法。
［Ｃ３６］
前記第２の情報は、
前記第１のチャネルの前記フル帯域幅を使用して受信される前記第１の空間ストリームのための少なくとも第１のチャネル推定情報と、
前記第１のチャネルの前記フル帯域幅を使用して受信される前記第２の空間ストリームのための少なくとも第２のチャネル推定情報と
を備える、［Ｃ３５］に記載の方法。
［Ｃ３７］
前記少なくとも１つのチャネルは、前記装置に割り当てられたチャネルのセットを備え、
前記チャネルのセットは、前記装置に割り当てられた少なくとも第１および第２のチャネルを備え、
前記少なくとも１つのトレーニングフィールドは、前記第１のチャネルの１つまたは複数のサブチャネルのセット上で受信される少なくとも第１のトレーニングフィールドと、前記第２のチャネルの１つまたは複数のサブチャネルのセット上で受信される少なくとも第２のトレーニングフィールドとを備え、
前記第２の情報は、前記第１および第２のチャネルの結合された帯域幅を使用して受信されるチャネル推定情報を備える、
［Ｃ３４］に記載の方法。
［Ｃ３８］
前記チャネルのセットは、第１および第２の空間ストリームを送信するための少なくとも第１および第２のチャネルを備え、
前記少なくとも１つのトレーニングフィールドは、前記第１および第２のチャネルの各々の１つまたは複数のサブチャネルの第１のセット上で取得される前記第１の空間ストリームのための少なくとも第１のトレーニングフィールドと、
前記第１および第２のチャネルの各々の１つまたは複数のサブチャネルの第２のセット上で受信される前記第２の空間ストリームのための少なくとも第２のトレーニングフィールドと
を備え、
前記第２の情報は、前記第１および第２のチャネルの結合された帯域幅を使用して受信されるチャネル推定情報を備える、
［Ｃ３７］に記載の方法。
［Ｃ３９］
前記第２の情報は、
前記第１および第２のチャネルの結合された帯域幅を使用して受信される前記第１の空間ストリームのための少なくとも第１のチャネル推定情報と、
前記第１および第２のチャネルの結合された帯域幅を使用して受信される前記第２の空間ストリームのための少なくとも第２のチャネル推定情報と
を備える、［Ｃ３７］に記載の方法。
［Ｃ４０］
装置による、ワイヤレス通信のための方法であって、
少なくとも１つのチャネル上での送信のためのフレームを生成すること、前記フレームは、
デバイスの第１および第２のタイプによって処理するためのヘッダ情報、チャネル推定値、またはトレーニングフィールドのうちの少なくとも１つを備える第１の情報と、前記フレームのターゲットにされた受信者であるデバイスの第２のタイプのみによって処理するために意図された拡張ヘッダ情報と、
データ部分と
を有する、と、
前記少なくとも１つのチャネルを介して送信のために前記フレームを出力することと
を備える、方法。
［Ｃ４１］
前記フレームは、第１および第２の空間ストリームの各々のための、前記フレームの前記ターゲットにされた受信者によって処理するためのチャネル推定情報またはトレーニングフィールドのうちの少なくとも１つを備える第２の情報をさらに備え、
前記第１の空間ストリームのための前記第２の情報は、前記第２の空間ストリームのための前記第２の情報で前記第１の空間ストリームのための前記第２の情報を時間アラインするために、前記第１の空間ストリームのための前記第１の情報の終わりの送信と比較して遅延して送信のために出力される、
［Ｃ４０］に記載の方法。
［Ｃ４２］
前記少なくとも１つのチャネルは、前記装置に割り当てられたチャネルのセットを備え、
前記データ部分は、前記チャネルのセットにわたる帯域幅上で送信される、
［Ｃ４０］に記載の方法。
［Ｃ４３］
前記少なくとも１つのチャネルは、装置に割り当てられたチャネルのセットを備え、
前記チャネルのセットは、少なくとも第１および第２の連続するチャネルを備え、
前記第１の情報は、第１および第２のチャネルの各々において繰り返され、
前記フレームは、前記フレームの前記ターゲットにされた受信者によって処理するためのトレーニングフィールドまたはチャネル推定情報のうちの少なくとも１つを備える第２の情報を備え、前記第２の情報は、前記少なくとも第１および第２のチャネルにわたる帯域幅上での送信のために出力される、
［Ｃ４０］に記載の方法。
［Ｃ４４］
前記第１および第２のチャネルは、少なくとも第１および第２の空間ストリームを送信するためのものであり、
前記第１の情報は、前記第１および第２のチャネルの各々において繰り返された前記第１の空間ストリームのための第１の情報と、前記第１および第２のチャネルの各々において繰り返された前記第２の空間ストリームのための第１の情報とを備え、前記第２の空間ストリームのための前記第１の情報は、前記第１の空間ストリームのための前記第１の情報の送信と比較して遅延して送信のために出力される、
［Ｃ４３］に記載の方法。
［Ｃ４５］
前記第１の空間ストリームのための前記第２の情報は、前記第２の空間ストリームのための前記第２の情報を有する前記第１の空間ストリームのための前記第２の情報を時間アラインするために、前記第１の空間ストリームのための前記第１の情報の終わりの送信と比較して遅延して送信のために出力される、
［Ｃ４４］に記載の方法。
［Ｃ４６］
装置による、ワイヤレス通信のための方法であって、
少なくとも１つのチャネル上で送信されたフレームを取得すること、前記フレームは、
デバイスの第１および第２タイプのデバイスによって処理するための第１の情報と、前記フレームのターゲットにされた受信者であるデバイスの第２のタイプのみによって処理することを拡張ヘッダ情報と、
データ部分と
を有する、と、
前記第１の情報を処理することと、
前記拡張ヘッダ情報に基づいてデータ部分のいくつかを復号することと
を備える、方法。
［Ｃ４７］
前記少なくとも１つのチャネルは、少なくとも第１および第２の空間ストリームを送信するための少なくとも単一チャネルを備え、
前記第１の情報は、同じ単一チャネル上で送信された前記第１の空間ストリームのための第１の情報と、前記第２の空間ストリームのための第１の情報とを備え、前記装置によって前記第２の空間ストリームのための前記第１の情報の受信者は、前記第１の空間ストリームのための前記第１の情報の送信と比較して遅延される、
［Ｃ４６］に記載の方法。
［Ｃ４８］
前記少なくとも１つのチャネルは、前記装置に割り当てられたチャネルのセットを備え、
前記データ部分は、前記チャネルのセットにわたる帯域幅上で受信される、
［Ｃ４６］に記載の方法。
［Ｃ４９］
前記少なくとも１つのチャネルは、前記装置に割り当てられたチャネルのセットを備え、
前記チャネルのセットは、少なくとも第１および第２の連続するチャネルを備え、
前記第１の情報は、前記第１および第２のチャネルの各々において繰り返され、
前記フレームは、前記フレームの前記ターゲットにされた受信者によって処理するためのチャネル推定情報またはトレーニングフィールドのうちの少なくとも１つを備える第２の情報をさらに備え、前記第２の情報は、前記少なくとも第１および第２のチャネルにわたる帯域幅上で受信される、
［Ｃ４６］に記載の方法。
［Ｃ５０］
前記第１および第２のチャネルは、少なくとも第１および第２の空間ストリームを取得するためのものであり、
前記第１の情報は、前記第１および第２のチャネルの各々において繰り返される前記第１の空間ストリームのための第１の情報と、前記第１および第２のチャネルの各々において繰り返される前記第２の空間ストリームのための第１の情報とを備え、前記装置による前記第２の空間ストリームのための前記第１の情報の受信は、前記第１の空間ストリームのための前記第１の情報の送信と比較して遅延される、
［Ｃ４９］に記載の方法。
［Ｃ５１］
ワイヤレス通信のための装置であって、
少なくとも１つのチャネル上での送信のためのフレームを生成するための手段、前記フレームは、
他の装置によって検出可能な少なくとも１つのトレーニングフィールドを備える第１の情報、前記第１の情報は、１つまたは複数のサブチャネルのセット上で送信され、各サブチャネルは、前記少なくとも１つのチャネルのフル帯域幅の断片的な部分を備える、と、
チャネル推定値またはヘッダ情報のうちの少なくとも１つを備える第２の情報、前記第２の情報は、前記少なくとも１つのチャネルの前記フル帯域幅を使用して送信される、と
を備える、プリアンブル部分と、
前記少なくとも１つのチャネルの前記フル帯域幅を使用して送信されるデータ部分と
を有する、と、
送信のための前記フレームを出力するための手段と
を備える、装置。
［Ｃ５２］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で送信される前記第１の空間ストリームのための少なくとも第１のトレーニングフィールドと、前記第１のチャネルの１つまたは複数のサブチャネルの第２のセット上で送信される前記第２の空間ストリームのための少なくとも第２のトレーニングフィールドとを備え、前記サブチャネルの第１および第２のセットは、重複しない、
［Ｃ５１］に記載の装置。
［Ｃ５３］
前記第２の情報は、
前記第１のチャネルの前記フル帯域幅を使用して送信される前記第１の空間ストリームのための少なくとも第１のチャネル推定情報と、
前記第１のチャネルの前記フル帯域幅を使用して送信される前記第２の空間ストリームのための少なくとも第２のチャネル推定情報と
を備える、［Ｃ５２］に記載の装置。
［Ｃ５４］
前記少なくとも１つのチャネルは、前記装置に割り当てられたチャネルのセットを備え、
前記チャネルのセットは、少なくとも２つの連続するチャネルを備える、
［Ｃ５１］に記載の装置。
［Ｃ５５］
前記少なくとも１つのチャネルは、前記装置に割り当てられたチャネルのセットを備え、
前記チャネルのセットは、前記装置に割り当てられた少なくとも第１および第２のチャネルを備え、
前記少なくとも１つのトレーニングフィールドは、前記第１のチャネルの１つまたは複数のサブチャネルのセット上で送信される少なくとも第１のトレーニングフィールドと、前記第２のチャネルの１つまたは複数のサブチャネルのセット上で送信される少なくとも第２のトレーニングフィールドとを備え、
第２の情報は、前記第１および第２のチャネルの結合された帯域幅を使用して送信されるチャネル推定情報を備える、
［Ｃ５１］に記載の装置。
［Ｃ５６］
前記少なくとも１つのチャネルは、前記装置に割り当てられたチャネルのセットを備え、
前記チャネルのセットは、第１および第２の空間ストリームを送信するための少なくとも第１および第２のチャネルを備え、
前記少なくとも１つのトレーニングフィールドは、前記第１および第２のチャネルの各々の１つまたは複数のサブチャネルの第１のセット上で送信される前記第１の空間ストリームのための少なくとも第１のトレーニングフィールドと、前記第１および第２のチャネルの各々の１つまたは複数のサブチャネルの第２のセット上で送信される前記第２の空間ストリームのための少なくとも第２のトレーニングフィールドとを備え、
前記第２の情報は、前記第１および第２のチャネルの結合された帯域幅を使用して送信されるチャネル推定情報を備える、
［Ｃ５１］に記載の装置。
［Ｃ５７］
前記１つまたは複数のサブチャネルの第１および第２セットは、重複しないこと、または
前記第１のおよび第２の空間ストリームのために使用されたサブチャネルは、重複しないこと
のうちの少なくとも１つである、［Ｃ５６］に記載の装置。
［Ｃ５８］
前記第２の情報は、
前記第１および第２のチャネルの結合された帯域幅を使用して送信される前記第１の空間ストリームのための少なくとも第１のチャネル推定情報と、
前記第１および第２のチャネルの結合された帯域幅を使用して送信される前記第２の空間ストリームのための少なくとも第２のチャネル推定情報と
を備える、［Ｃ５６］に記載の装置。
［Ｃ５９］
ワイヤレス通信ための装置であって、
他の装置によって検出可能な少なくとも１つのトレーニングフィールドを備える第１の情報、前記第１の情報は、１つまたは複数のサブチャネルのセット上で受信され、各サブチャネルは、前記少なくとも１つのチャネルのフル帯域幅の断片部分を備える、と、
チャネル推定値またはヘッダ情報のうちの少なくとも１つを備える第２の情報、前記第２の情報は、前記少なくとも１つのチャネルの前記フル帯域幅を使用して受信される、と
を備えるプリアンブル部分と、
前記少なくとも１つのチャネルの前記フル帯域幅を使用して送信されるデータ部分と
を有する、フレームを、少なくとも１つのチャネルを介して取得するための手段と、
前記第２の情報に、少なくとも部分的に、基づいてチャネル推定値を生成することと、前記チャネル推定値に基づいて前記フレームの前記データ部分のうちの少なくともいくつかを復号するための手段と
を備える、装置。
［Ｃ６０］
前記少なくとも１つのチャネルは、少なくとも第１および第２の空間ストリームを送信するための少なくとも第１のチャネルを備え、
前記少なくとも１つのトレーニングフィールドは、前記第１のチャネルの１つまたは複数のサブチャネルの第１のセット上で受信される前記第１の空間ストリームのための少なくとも第１のトレーニングフィールドと、前記第１のチャネルの１つまたは複数のサブチャネルの第２のセット上で受信される前記第２の空間ストリームのための少なくとも第２のトレーニングフィールドとを備え、前記サブチャネルの第１および第２のセットは、重複しない、
［Ｃ５９］に記載の装置。
［Ｃ６１］
前記第２の情報は、
前記第１のチャネルの前記フル帯域幅を使用して受信される前記第１の空間ストリームのための少なくとも第１のチャネル推定情報と、
前記第１のチャネルの前記フル帯域幅を使用して受信される前記第２の空間ストリームのための少なくとも第２のチャネル推定情報と
を備える、［Ｃ６０］に記載の装置。
［Ｃ６２］
前記少なくとも１つのチャネルは、前記装置に割り当てられたチャネルのセットを備え、
前記チャネルのセットは、前記装置に割り当てられた少なくとも第１および第２のチャネルを備え、
前記少なくとも１つのトレーニングフィールドは、前記第１のチャネルの１つまたは複数のサブチャネルのセット上で受信される少なくとも第１のトレーニングフィールドと、前記第２のチャネルの１つまたは複数のサブチャネルのセット上で受信される少なくとも第２のトレーニングフィールドとを備え、
前記第２の情報は、前記第１および第２のチャネルの結合された帯域幅を使用して受信されるチャネル推定情報を備える、
［Ｃ５９］に記載の装置。
［Ｃ６３］
前記チャネルのセットは、第１および第２の空間ストリームを送信するための少なくとも第１および第２のチャネルを備え、
前記少なくとも１つのトレーニングフィールドは、前記第１および第２のチャネルの各々の１つまたは複数のサブチャネルの第１のセット上で取得される前記第１の空間ストリームのための少なくとも第１のトレーニングフィールドと、
前記第１および第２のチャネルの各々の１つまたは複数のサブチャネルの第２のセット上で受信される前記第２の空間ストリームのための少なくとも第２のトレーニングフィールドと
を備え、
前記第２の情報は、前記第１および第２のチャネルの結合された帯域幅を使用して受信されるチャネル推定情報を備える、
［Ｃ６２］に記載の装置。
［Ｃ６４］
前記第２の情報は、
前記第１および第２のチャネルの結合された帯域幅を使用して受信される前記第１の空間ストリームのための少なくとも第１のチャネル推定情報と、
前記第１および第２のチャネルの結合された帯域幅を使用して受信される前記第２の空間ストリームのための少なくとも第２のチャネル推定情報と
を備える、［Ｃ６２］に記載の装置。
［Ｃ６５］
ワイヤレス通信のための装置であって、
少なくとも１つのチャネル上での送信のためのフレームを生成するための手段、前記フレームは、
デバイスの第１および第２のタイプによって処理するためのヘッダ情報、チャネル推定値、またはトレーニングフィールドのうちの少なくとも１つを備える第１の情報と、前記フレームのターゲットにされた受信者であるデバイスの第２のタイプのみによって処理するために意図された拡張ヘッダ情報とを備える、と、
データ部分と
を有する、と、
前記少なくとも１つのチャネルを介して送信のために前記フレームを出力するための手段と
を備える、装置。
［Ｃ６６］
前記フレームは、第１および第２の空間ストリームの各々のための、前記フレームの前記ターゲットにされた受信者によって処理するためのチャネル推定情報またはトレーニングフィールドのうちの少なくとも１つを備える第２の情報をさらに備え、
前記第１の空間ストリームのための前記第２の情報は、前記第２の空間ストリームのための前記第２の情報で前記第１の空間ストリームのための前記第２の情報を時間アラインするために、前記第１の空間ストリームのための前記第１の情報の終わりの送信と比較して遅延して送信のために出力される、
［Ｃ６５］に記載の装置。
［Ｃ６７］
前記少なくとも１つのチャネルは、前記装置に割り当てられたチャネルのセットを備え、
前記データ部分は、前記チャネルのセットにわたる帯域幅上で送信される、
［Ｃ６５］に記載の装置。
［Ｃ６８］
前記少なくとも１つのチャネルは、装置に割り当てられたチャネルのセットを備え、
前記チャネルのセットは、少なくとも第１および第２の連続するチャネルを備え、
前記第１の情報は、第１および第２のチャネルの各々において繰り返され、
前記フレームは、前記フレームの前記ターゲットにされた受信者によって処理するためのトレーニングフィールドまたはチャネル推定情報のうちの少なくとも１つを備える第２の情報を備え、前記第２の情報は、前記少なくとも第１および第２のチャネルにわたる帯域幅上での送信のために出力される、
［Ｃ６５］に記載の装置。
［Ｃ６９］
前記第１および第２のチャネルは、少なくとも第１および第２の空間ストリームを送信するためのものであり、
前記第１の情報は、前記第１および第２のチャネルの各々において繰り返された前記第１の空間ストリームのための第１の情報と、前記第１および第２のチャネルの各々において繰り返された前記第２の空間ストリームのための第１の情報とを備え、前記第２の空間ストリームのための前記第１の情報は、前記第１の空間ストリームのための前記第１の情報の送信と比較して遅延して送信のために出力される、
［Ｃ６８］に記載の装置。
［Ｃ７０］
前記第１の空間ストリームのための前記第２の情報は、前記第２の空間ストリームのための前記第２の情報を有する前記第１の空間ストリームのための前記第２の情報を時間アラインするために、前記第１の空間ストリームのための前記第１の情報の終わりの送信と比較して遅延して送信のために出力される、
［Ｃ６９］に記載の装置。
［Ｃ７１］
ワイヤレス通信のための装置であって、
少なくとも１つのチャネル上で送信されたフレームを取得するための手段、前記フレームは、
デバイスの第１および第２タイプのデバイスによって処理するための第１の情報と、前記フレームのターゲットにされた受信者であるデバイスの第２のタイプのみによって処理することを拡張ヘッダ情報と、
データ部分と
を有する、と、
前記第１の情報を処理するための手段と、
前記拡張ヘッダ情報に基づいて前記フレームの前記データ部分のいくつかを復号するための手段と
を備える、装置。
［Ｃ７２］
前記少なくとも１つのチャネルは、少なくとも第１および第２の空間ストリームを送信するための少なくとも単一チャネルを備え、
前記第１の情報は、同じ単一チャネル上で送信された前記第１の空間ストリームのための第１の情報と、前記第２の空間ストリームのための第１の情報とを備え、前記装置によって前記第２の空間ストリームのための前記第１の情報の受信者は、前記第１の空間ストリームのための前記第１の情報の送信と比較して遅延される、
［Ｃ７１］に記載の装置。
［Ｃ７３］
前記少なくとも１つのチャネルは、前記装置に割り当てられたチャネルのセットを備え、
前記データ部分は、前記チャネルのセットにわたる帯域幅上で受信される、
［Ｃ７１］に記載の装置。
［Ｃ７４］
前記少なくとも１つのチャネルは、前記装置に割り当てられたチャネルのセットを備え、
前記チャネルのセットは、少なくとも第１および第２の連続するチャネルを備え、
前記第１の情報は、前記第１および第２のチャネルの各々において繰り返され、
前記フレームは、前記フレームの前記ターゲットにされた受信者によって処理するためのチャネル推定情報またはトレーニングフィールドのうちの少なくとも１つを備える第２の情報をさらに備え、前記第２の情報は、前記少なくとも第１および第２のチャネルにわたる帯域幅上で受信される、
［Ｃ７１］に記載の装置。
［Ｃ７５］
前記第１および第２のチャネルは、少なくとも第１および第２の空間ストリームを取得するためのものであり、
前記第１の情報は、前記第１および第２のチャネルの各々において繰り返される前記第１の空間ストリームのための第１の情報と、前記第１および第２のチャネルの各々において繰り返される前記第２の空間ストリームのための第１の情報とを備え、前記装置による前記第２の空間ストリームのための前記第１の情報の受信は、前記第１の空間ストリームのための前記第１の情報の送信と比較して遅延される、
［Ｃ７４］に記載の装置。
［Ｃ７６］
少なくとも１つのチャネル上での送信のためのフレームを生成すること、前記フレームは、
他の装置によって検出可能な少なくとも１つのトレーニングフィールドを備える第１の情報、前記第１の情報は、１つまたは複数のサブチャネルのセット上で送信され、各サブチャネルは、前記少なくとも１つのチャネルのフル帯域幅の断片的な部分を備える、と、
チャネル推定値またはヘッダ情報のうちの少なくとも１つを備える第２の情報、前記第２の情報は、前記少なくとも１つのチャネルの前記フル帯域幅を使用して送信される、と
を備える、プリアンブル部分と、
前記少なくとも１つのチャネルの前記フル帯域幅を使用して送信されるデータ部分と
を有する、と、
送信のための前記フレームを出力することと
を行うための、その上に記憶された命令を有するコンピュータ可読記憶媒体。
［Ｃ７７］
他の装置によって検出可能な少なくとも１つのトレーニングフィールドを備える第１の情報、前記第１の情報は、１つまたは複数のサブチャネルのセット上で受信され、各サブチャネルは、前記少なくとも１つのチャネルのフル帯域幅の断片部分を備える、と、
チャネル推定値またはヘッダ情報のうちの少なくとも１つを備える第２の情報、前記第２の情報は、前記少なくとも１つのチャネルの前記フル帯域幅を使用して受信される、と
を備えるプリアンブル部分と、
前記少なくとも１つのチャネルの前記フル帯域幅を使用して送信されるデータ部分と
を有する、フレームを、少なくとも１つのチャネルを介して取得することと、
前記第２の情報に、少なくとも部分的に、基づいてチャネル推定値を生成することと、前記チャネル推定値に基づいて前記フレームの前記データ部分のうちの少なくともいくつかを復号することと
を行うための、その上に記憶された命令を有するコンピュータ可読記憶媒体。
［Ｃ７８］
少なくとも１つのチャネル上での送信のためのフレームを生成すること、前記フレームは、
デバイスの第１および第２のタイプによって処理するためのヘッダ情報、チャネル推定値、またはトレーニングフィールドのうちの少なくとも１つを備える第１の情報と、前記フレームのターゲットにされた受信者であるデバイスの第２のタイプのみによって処理するために意図された拡張ヘッダ情報とを備える、と、
データ部分と
を有する、と、
前記少なくとも１つのチャネルを介して送信のために前記フレームを出力することと
を行うための、その上に記憶された命令を有するコンピュータ可読記憶媒体。
［Ｃ７９］
少なくとも１つのチャネル上で送信されたフレームを取得すること、前記フレームは、
デバイスの第１および第２タイプのデバイスによって処理するための第１の情報と、前記フレームのターゲットにされた受信者であるデバイスの第２のタイプのみによって処理することを拡張ヘッダ情報と、
データ部分と
を有する、と、
前記第１の情報を処理することと、
前記拡張ヘッダ情報に基づいて前記フレームの前記データ部分のいくつかを復号することと
を行うための、その上に記憶された命令を有するコンピュータ可読記憶媒体。
［Ｃ８０］
少なくとも１つのアンテナと、￥
少なくとも１つのチャネル上での送信のためのフレームを生成するように構成された処理システム、前記フレームは、
他の装置によって検出可能な少なくとも１つのトレーニングフィールドを備える第１の情報、前記第１の情報は、１つまたは複数のサブチャネルのセット上で送信され、各サブチャネルは、前記少なくとも１つのチャネルのフル帯域幅の断片的な部分を備える、と、
チャネル推定値またはヘッダ情報のうちの少なくとも１つを備える第２の情報、前記第２の情報は、前記少なくとも１つのチャネルの前記フル帯域幅を使用して送信される、と
を備える、プリアンブル部分と、
前記少なくとも１つのチャネルの前記フル帯域幅を使用して送信されるデータ部分と
を有する、と、
送信のための前記フレームを送信するように構成された送信機と
を備える、アクセスポイント。
［Ｃ８１］
少なくとも１つのアンテナと、
他の装置によって検出可能な少なくとも１つのトレーニングフィールドを備える第１の情報、前記第１の情報は、１つまたは複数のサブチャネルのセット上で受信され、各サブチャネルは、前記少なくとも１つのチャネルのフル帯域幅の断片部分を備える、と、
チャネル推定値またはヘッダ情報のうちの少なくとも１つを備える第２の情報、前記第２の情報は、前記少なくとも１つのチャネルの前記フル帯域幅を使用して受信される、と
を備えるプリアンブル部分と、
前記少なくとも１つのチャネルの前記フル帯域幅を使用して送信されるデータ部分と
を有する、フレームを、少なくとも１つのチャネルを介して受信するように構成された受信機と、
前記第２の情報に、少なくとも部分的に、基づいてチャネル推定値を生成することと、前記チャネル推定値に基づいて前記フレームの前記データ部分のうちの少なくともいくつかを復号することとを行うように構成された処理システムと
を備える、ワイヤレス局。
［Ｃ８２］
少なくとも１つのアンテナと、
少なくとも１つのチャネル上での送信のためのフレームを生成するように構成された処理システム、前記フレームは、
デバイスの第１および第２のタイプによって処理するためのヘッダ情報、チャネル推定値、またはトレーニングフィールドのうちの少なくとも１つを備える第１の情報と、前記フレームのターゲットにされた受信者であるデバイスの第２のタイプのみによって処理するために意図された拡張ヘッダ情報とを備える、と、
データ部分と
を有する、と、
前記少なくとも１つのチャネルを介して送信のために前記フレームを送信するように構成された送信機と
を備える、アクセスポイント。
［Ｃ８３］
少なくとも１つのアンテナと、
少なくとも１つのチャネル上で送信されたフレームを受信するように構成された受信機、前記フレームは、
デバイスの第１および第２タイプのデバイスによって処理するための第１の情報と、前記フレームのターゲットにされた受信者であるデバイスの第２のタイプのみによって処理することを拡張ヘッダ情報と、
データ部分と
を有する、と、
前記第１の情報を処理することと、前記拡張ヘッダ情報に基づいて前記フレームの前記データ部分のいくつかを復号することとを行うように構成された処理システムと
を備える、ワイヤレス局。